【手続補正書】
【提出日】平成18年6月2日(2006.6.2)
【手続補正１】
【補正対象書類名】明細書
【補正対象項目名】特許請求の範囲
【補正方法】変更
【補正の内容】
【特許請求の範囲】  
【請求項１】
可変焦点レンズであって、
可撓性で透明な膜によって少なくとも部分的に画成され、透明な流体を含んだ透明な外被と、
前記可撓性の膜の一方の面に係合するフレーム部材と、
前記可撓性の膜の反対側の面に係合するリング部材とを備え、
前記リング部材とフレーム部材とが、保持手段によって、相互の方向に付勢され、
前記可撓性の膜と係合するフレーム部材とリング部材のそれぞれの表面が、概略相補的な形状であり、断面形が前記可撓性の膜の外縁領域が一回以上方向が変化するように構成されている可変焦点レンズ。
【請求項２】
前記係合表面の断面形が、ステップ状のものである請求項１に記載の可変焦点レンズ。
【請求項３】
前記係合表面の断面形が、一つ以上の突設部と、相補的な形状の溝を備えているものである請求項１に記載の可変焦点レンズ。
【請求項４】
前記係合表面が、フレーム部材に向かって半径方向の範囲に増大する少なくとも一つの傾斜面を備えている請求項１に記載の可変焦点レンズ。
【請求項５】
前記リング部材とフレーム部材とは、相互に強固に相互係合でき、且つ
前記リング部材とフレーム部材が可撓性の膜を緊張状態に保持できるように、十分に堅固な材料から作製されている請求項１から４のいずれかに記載の可変焦点レンズ。
【請求項６】
前記リング部材とフレーム部材の材料も、軽量である請求項５に記載の可変焦点レンズ。
【請求項７】
前記リング部材とフレーム部材の材料が、高い耐衝撃性を有するプラスチック材料である請求項６に記載の可変焦点レンズ。
【請求項８】
前記リング部材とフレーム部材の材料が、アルミニウムである請求項７に記載の可変焦点レンズ。
【請求項９】
前記リング部材とフレーム部材の材料が、チタンである請求項７に記載の可変焦点レンズ。
【請求項１０】
前記表面の少なくとも一つは、高摩擦表面である請求項１から９のいずれかに記載の可変焦点レンズ。
【請求項１１】
可変焦点レンズであって、
可撓性で透明な膜によって少なくとも部分的に画成され、透明な流体を含んだ透明な外被と、
前記可撓性の膜の一方の面に係合するフレーム部材と、
前記可撓性の膜の反対側の面に係合するリング部材とを備え、
前記リング部材とフレーム部材とが、保持手段によって、相互の方向に付勢され、
前記可撓性の膜と係合するフレーム部材とリング部材のそれぞれの表面が、概略相補的な形状であり、
前記表面の少なくとも一つは、高摩擦表面である可変焦点レンズ。
【請求項１２】
前記フレーム部材とリング部材の一つ以上は、その表面が、高い摩擦係数の材料で作製されている請求項１０または１１に記載の可変焦点レンズ。
【請求項１３】
前記係合表面の少なくとも一つを、粗面化または延伸して、その表面の摩擦を増大したものである請求項１０または１１に記載の可変焦点レンズ。
【請求項１４】
前記係合表面の少なくとも一つが、高摩擦材料の被覆を備えている請求項１０または１１に記載の可変焦点レンズ。
【請求項１５】
前記被覆が、ゴムまたは合成エラストマーである請求項１４に記載の可変焦点レンズ。
【請求項１６】
可変焦点レンズであって、
可撓性で透明な膜によって少なくとも部分的に画成され、透明な流体を含んだ透明な外被と、
前記可撓性の膜の一方の面に係合するフレーム部材と、
前記可撓性の膜の反対側の面に係合するリング部材とを備え、
前記リング部材とフレーム部材とが、保持手段によって、相互の方向に付勢され、
前記係合表面の少なくとも一つが、ゴムまたは合成エラストマーの被覆を備えている可変焦点レンズ。
【請求項１７】
前記被覆の厚さは、１００μｍ未満、好ましくは５０μｍ未満、より好ましくは２０μｍ未満、最も好ましくは１０μｍ未満である請求項１４から１６のいずれかに記載の可変焦点レンズ。
【請求項１８】
前記被覆が、外被の内面も形成する膜の面と係合する係合表面上に設けられていることにより、シール界面によって、流体を封入しやすくなっている請求項１４から１７のいずれかに記載の可変焦点レンズ。
【請求項１９】
両方の係合表面が、被覆を備えている請求項１８に記載の可変焦点レンズ。
【請求項２０】
前記リング部材とフレーム部材の外縁形状が、円形、長円形、楕円形、または他の閉じた曲線形状である請求項１から１９のいずれかに記載の可変焦点レンズ。
【請求項２１】
前記フレーム部材は、外被の壁部を形成する強固で透明な窓を備えている請求項１から２０のいずれかに記載の可変焦点レンズ。
【請求項２２】
前記強固な窓は、ガラス、またはポリカーボネートのようなプラスチック材料等の好適な材料から作製されている請求項２１に記載の可変焦点レンズ。
【請求項２３】
前記フレーム部材は、全体がそのような透明材料から作製されている請求項２２に記載の可変焦点レンズ。
【請求項２４】
前記強固な窓は、フレーム部材の一部を形成し、環状フレームに接着するか、および／または環状フレームによって包囲されている請求項２１または２２に記載の可変焦点レンズ。
【請求項２５】
前記フレーム部材が、第２の膜と係合する第２の係合表面を備えている請求項１から２４のいずれかに記載の可変焦点レンズ。
【請求項２６】
第２のリング部材が、第２の膜と係合するための第２の係合表面を備えている請求項２５に記載の可変焦点レンズ。
【請求項２７】
前記第２の係合表面が、フレーム部材の第１の係合表面と対向している請求項２５または２６に記載の可変焦点レンズ。
【請求項２８】
前記第２の膜が、外被の壁を画成している請求項２５から２７のいずれかに記載の可変焦点レンズ。
【請求項２９】
前記第１のリング部材は、第２の膜と係合する第２の係合表面を備えている請求項１から２４のいずれかに記載の可変焦点レンズ。
【請求項３０】
前記第２のリング部材は、第２の膜と係合するための第２の係合表面を備えている請求項２９に記載の可変焦点レンズ。
【請求項３１】
前記第２の係合表面は、第１のリング部材の第１の係合表面に対向している請求項２８または２９に記載の可変焦点レンズ。
【請求項３２】
前記第２の膜は、外被の壁を画成している請求項２９から３１のいずれかに記載の可変焦点レンズ。
【請求項３３】
前記第１の膜と第２の膜は、一つの膜ウェブから形成されている請求項２５から３２のいずれかに記載の可変焦点レンズ。
【請求項３４】
第１の膜と第２の膜とは、分離している請求項２５から３２のいずれかに記載の可変焦点レンズ。
【請求項３５】
前記外被の壁を介してダクトが設けられており、ダクトが前記外被と連通しているものである請求項１から３４のいずれかに記載の可変焦点レンズ。
【請求項３６】
前記壁が、半径方向外側の壁である請求項３５に記載の可変焦点レンズ。
【請求項３７】
前記ダクトは、一つ以上の第１のリング部材、もしくは、第２のリング部材、または、フレーム部材に予め形成された穴により形成されている請求項３４または３５に記載の可
変焦点レンズ。
【請求項３８】
前記ダクトは、一つ以上の第１のリング部材、もしくは、第２のリング部材、または、フレーム部材に穿孔されている請求項３４または３５に記載の可変焦点レンズ。
【請求項３９】
前記ダクトは、ダクトを介して、外被から流体が漏洩するのを防ぐのに好適な栓手段を備えている請求項３５から３８のいずれかに記載の可変焦点レンズ。
【請求項４０】
前記栓手段が、注射器の針によって突き刺すことができ、且つ針を取り除いた際に、自己シールできるゴムまたはエラストマー栓の形態である請求項３９に記載の可変焦点レンズ。
【請求項４１】
バルブがダクト内に設けられており、ダクトが、通常は閉止され、注射器の針によって、開口することができるように構成されている請求項３９に記載の可変焦点レンズ。
【請求項４２】
前記バルブが、環状の座部に対してスプリングによって付勢されたボールを備えている請求項４１に記載の可変焦点レンズ。
【請求項４３】
前記外被の壁に、複数のダクトが設けられている請求項３５から４２のいずれかに記載の可変焦点レンズ。
【請求項４４】
可変焦点レンズであって、
可撓性で透明な膜によって少なくとも部分的に画成され、透明な流体を含んだ透明な外被と、
前記外被内に流体を導入するための外被の壁部に設けられた複数のダクトとを備えた可変焦点レンズ。
【請求項４５】
前記複数のダクトに、それぞれ栓手段が設けられている請求項４３または４４に記載の可変焦点レンズ。
【請求項４６】
前記複数のダクトが、単一の栓手段を備えている請求項４３または４４に記載の可変焦点レンズ。
【請求項４７】
前記ダクトが、近接してグループ化されている請求項４３から４６のいずれかに記載の可変焦点レンズ。
【請求項４８】
大きい断面を有する一つのダクトが設けられている請求項３５から４２のいずれかに記載の可変焦点レンズ。
【請求項４９】
レンズの軸に対して垂直なダクトの幅を、レンズの軸に平行なダクトの幅よりも大きくなるようにダクトを形成することにより、ダクトの断面積が増加されている請求項４８に記載の可変焦点レンズ。
【請求項５０】
前記第１のリング部材と第２のリング部材のそれぞれについて、それぞれ保持手段が設けられている請求項２６から４９のいずれかに記載の可変焦点レンズ。
【請求項５１】
前記保持手段は、フレーム部材とリング部材のうちの一方の変形可能な部分の形態をとり、
前記フレーム部材とリング部材の他方に折曲するように変形するように構成されている請求項１から５０のいずれかに記載の可変焦点レンズ。
【請求項５２】
前記変形可能な部分が、アルミニウム、ステンレス鋼、またはチタンのような金属からできている請求項５１に記載の可変焦点レンズ。
【請求項５３】
前記外被内に保持される透明な流体は、７０３型シリコーンオイルのようなシリコーンオイルである請求項１から５２のいずれかに記載の可変焦点レンズ。
【請求項５４】
前記流体が、注射器のような好適なポンプ手段により、外被に連通している請求項１から５３のいずれかに記載の可変焦点レンズ。
【請求項５５】
可変焦点レンズ用ポンプであって、
排出孔を有する流体チャンバーと、
前記流体チャンバーの有効容積を変更するように構成された直線的に移動可能部材とを備え、
前記移動可能部材を、複数の別個の位置に配置するための配置手段が設けられている可変焦点レンズ用ポンプ。
【請求項５６】
前記配置手段が、二つのストッパーの形態であり、
前記ストッパーが、ピストンまたはプランジャーのような移動可能な部材の動きを、それぞれのストッパーにより規定される端点を有する範囲に限定するように構成されている請求項５５に記載のポンプ。
【請求項５７】
前記ストッパーが、位置変更自在となっている請求項５６に記載のポンプ。
【請求項５８】
前記ストッパーが、選択された位置でロックできるように構成されている請求項５７に記載のポンプ。
【請求項５９】
前記配置手段は、移動可能部材がステップ式に調整できるように、好適な係合部材によって係合できる一連の位置決め部材を備えている請求項５５から５８のいずれかに記載のポンプ。
【請求項６０】
前記一連の位置決め部材が、ラック歯等の形態である請求項５９に記載のポンプ。
【請求項６１】
可変焦点レンズ用ポンプであって、
排出孔を有する流体チャンバーと、
制御部材の回転運動に応答して、前記流体チャンバーの容積を直線的に変更する手段とを備えたポンプ。
【請求項６２】
前記ポンプは、回転のためにコントロールノブに結合されたピニオンを備え、
前記ピニオンが、直線運動のために流体チャンバーに備えられたピストンに結合されたラックに係合している請求項６１に記載のポンプ。
【請求項６３】
前記流体チャンバー内に収容されたピストンは、ネジが形成されたシャフト上に設けられ、
前記シャフトは、相補的にネジが形成されたカラーと係合し、
カラーまたはシャフトが回転して、ピストンが流体チャンバー内で直線的に移動するように構成されている請求項６１に記載のポンプ。
【請求項６４】
前記流体チャンバーの内部にネジが形成されており、
前記ピストンの外周には、相補的なネジが形成されていて、
ピストンの回転によって流体チャンバー内でピストンの直線運動が生じるように構成されている請求項６１に記載のポンプ。
【請求項６５】
前記外部にネジを有する胴部部材と、円周方向壁と、その端壁に形成された流体口とを備え、
前記胴部部材が、相補的な内部ネジと、胴部部材の端壁に対向する端壁とを備えたキャップ部材内に収容されており、
前記流体チャンバーが、接続された胴部とキャップ部材によって囲まれた容積によって規定されている請求項６１に記載のポンプ。
【請求項６６】
前記キャップ部材が、端面に対して固定状態で装着され、且つ、胴部部材内に収容されているピストンを備えており、
前記流体チャンバーは、胴部部材の端面とピストンとの間で画成されるようになっており、
前記胴部部材とキャップ部材が相対的に回転すると、ピストンにより流体チャンバーの有効容積が減少するように構成されている請求項６５に記載のポンプ。
【請求項６７】
前記移動可能部材を複数の別個の位置に配置するための配置手段が設けられている請求項６１から６６のいずれかに記載のポンプ。
【請求項６８】
請求項５５から６７のいずれかに記載のポンプと組み合わされた可変焦点レンズ。
【請求項６９】
請求項６８に記載の二つの可変焦点レンズが、眼鏡フレームに備えられている眼鏡類。
【請求項７０】
単一のポンプが設けられている、請求項６９に記載の眼鏡類。
【請求項７１】
各レンズにそれぞれポンプが設けられており、各レンズが個別に焦点が変更できる、請求項６９に記載の眼鏡類。
【請求項７２】
前記ポンプが、眼鏡フレームのアーム上のアームの端部に設けられており、使用に際しては使用者の耳で隠れるように構成されている請求項６９から７１のいずれかに記載の眼鏡類。
【請求項７３】
眼鏡フレームのアームに溝が設けられており、レンズとポンプとの間に流体が連通するように構成されている請求項６９から７２のいずれかに記載の眼鏡類。
【請求項７４】
ポンプが、レンズの焦点の初期設定操作後に、眼鏡から取り外すことができるように構成されている請求項６９から７３のいずれかに記載の眼鏡類。
【請求項７５】
前記ポンプが、永久的に取り外すことができるものである請求項７４に記載の眼鏡類。
【請求項７６】
前記ポンプが、眼鏡から取り外し可能であり、ポンプを取り外すと、流体連通溝が自動的に閉止されるように構成されている請求項７４または７５に記載の眼鏡類。
【請求項７７】
前記溝が、バルブにより自動的に閉止されるように構成されている請求項７６に記載の眼鏡類。
【請求項７８】
各レンズについて一つずつ設けられた２つのポンプを備えた一対の眼鏡を備えており、
各ポンプが、眼鏡のアームに取り外し可能に取り付けられており、
各ポンプとそのそれぞれのレンズとの間の流体の連通が、ポンプからレンズまで延びて
いる可撓性チューブによりなされ、
前記チューブが、眼鏡のフレームに、その長さの少なくとも一部分に設けられた溝に収容され、
前記チューブは、使用者が、レンズの焦点を合わせた後に、閉止され、切断され、それから、ポンプと、チューブの取り付け部が取り外され、廃棄される請求項７１から７７のいずれかに記載の眼鏡類。
【請求項７９】
前記レンズとポンプを接続するチューブの一部分が、眼鏡のメインフレームに形成された溝内に収容される請求項７８に記載の眼鏡類。
【請求項８０】
前記溝が、使用者と対向するメインフレームの側に位置する請求項７９に記載の眼鏡類。
【請求項８１】
前記チューブが、締めつけ閉止されることにより閉止されるように構成されている請求項７８から８０のいずれかに記載の眼鏡類。
【請求項８２】
前記チューブは、チューブの側部同士を付勢するネジにより締め付け閉止されるように構成されている請求項８１に記載の眼鏡類。
【請求項８３】
ネジが、チューブが収容される溝に対して垂直で、且つ横切る眼鏡のフレームにおける通路内に備えられており、
ネジとは反対側の溝側には、ブリッジの形態の溝を横切るように延びる部材が備えられており、
前記ネジが、通路内にネジ入れられ、前記部材に対してチューブを押圧して、チューブを閉止するように構成されている請求項８２に記載の眼鏡類。
【請求項８４】
前記部材が、眼鏡のアームをメインフレームに取り付けているヒンジの一部分により形成されている請求項８３に記載の眼鏡類。
【請求項８５】
前記チューブが、ボタンを備え、ボタンを押し下げたときに、チューブを部材に対して押圧して、チューブを閉止することにより、締付け閉止するように構成されている請求項８１に記載の眼鏡類。
【請求項８６】
前記ボタンが、それを押し下げたときに係止して、チューブを閉止された状態に確実に保持するように構成されている請求項８５に記載の眼鏡類。
【請求項８７】
前記ボタンが、ボタンを初期位置に保持するための手段を備え、偶発的な操作を防止するように構成されている請求項８４または８５に記載の眼鏡類。
【請求項８８】
前記手段が、ボタン上に設けられた突起であり、突起がフレーム内の対応する凹部に嵌入する形態である、請求項８８に記載の眼鏡類。
【請求項８９】
チューブを切断することができるようにする手段を、眼鏡内に備えている請求項７８から８８のいずれかに記載の眼鏡類。
【請求項９０】
刃の付いたボタンを備え、ボタンを押し下げた際に、刃がチューブを切断するように構成されている請求項８９に記載の眼鏡類。
【請求項９１】
前記チューブを閉止するボタンと、チューブを切断するボタンとを組み合わせて、一回の動作でチューブを閉止し、切断することができるように構成されている請求項８５から
９０のいずれかに記載の眼鏡類。
【請求項９２】
可変焦点レンズの外被に透明流体を充填する方法であって、
前記外被内の空気の一部分を吸い出す工程と、
同様な量の流体を外被に注入する工程と、
空気を除去し、その後流体を注入するサイクルを、外被に流体が満たされるまで繰り返す工程とを含む方法。
【請求項９３】
可変焦点レンズの外被に透明流体を充填する方法であって、
針を使用して、ダクトを介して、流体を外被に注入することを含み、
前記針の外径が、ダクトの内径よりも小さく、
前記外被内の空気が、流体が注入されるにしたがって逃げることができるようにすることを含む方法。
【請求項９４】
可変焦点レンズの外被に透明流体を充填する方法であって、
前記外被に充填するのに使用する流体を、充填前に脱ガス処理することを含む方法。
【請求項９５】
可変焦点レンズの外被に透明流体を充填する方法であって、
前記流体を、充填前に加熱してその粘度を減少させることを含む方法。
【請求項９６】
前記レンズが、可撓性膜または各可撓性膜用の少なくとも一つの透明保護カバーを備えている請求項１から５４のいずれかに記載の可変焦点レンズ。
【請求項９７】
前記カバーが、透明材料の剛性を有するシートである請求項９６に記載の可変焦点レンズ。
【請求項９８】
前記材料が、ガラス、または、ポリカーボネート等のプラスチックである請求項９７に記載の可変焦点レンズ。
【請求項９９】
前記可撓性膜または各可撓性膜が、熱収縮性プラスチック材料から形成したものである請求項１から５４、または、９６から９８のいずれかに記載の可変焦点レンズ。
【請求項１００】
フレーム内に支持された可撓性の透明膜を備えた可変焦点レンズの製造方法であって、
前記膜を、フレームに保持した状態で熱処理して、膜における張力を増加させる方法。
【請求項１０１】
前記熱が、ヘアードライヤー、熱空気ガン、または、ファンヒータのような熱風源によるものである請求項１００に記載の方法。
【請求項１０２】
フレーム内に支持された可撓性の透明膜を備えた可変焦点レンズの製造方法であって、
前記膜がプレテンショニングに付され、
前記膜がプレテンショニングされている間に、フレームを膜に取り付けることを含む方法。
【請求項１０３】
請求項１から５４、または、９６から９８のいずれかに記載の可変焦点レンズを組み込んだ眼鏡類であって、
サングラス、スイミングゴーグル、スキーゴーグル、スクアッシュグラス、一般的なスポーツ用眼鏡類、溶接マスク、溶接ゴーグル、実験室用ゴーグル、および、一般的な保護用眼鏡類の形態である眼鏡類。
【請求項１０４】
前記レンズが、インサートとして設けられている請求項１０３に記載の眼鏡類。
【請求項１０５】
前記可変焦点レンズが、眼鏡類の外側に取り付けられている請求項１０３に記載の眼鏡類。
【請求項１０６】
２つの膜の間に透明流体の外被を画成して備えている可変焦点レンズであり、
前記２つの膜のうちの少なくとも一つが可撓性であり、
前記膜のうちの一方、または、両方、または、流体が着色されているものである可変焦点レンズ。
【請求項１０７】
２つの膜の間に透明流体の外被を画成して備えている可変焦点レンズであり、
前記２つの膜のうちの少なくとも一つが可撓性であり、
前記可撓性膜が、またライジングしたMylarから形成されたものである可変焦点レンズ
。